(57)【要約】【課題】吸込仕事率の向上と、低騒音と、を達成する電気掃除機の提供を目的とする。【解決手段】電動送風機と、該電動送風機が収納される掃除機本体と、を有する電気掃除機において、前記掃除機本体における前記電動送風機から排出される空気の流路の少なくとも一部に吸音部材が設けられ、該吸音部材は、少なくとも一方の面に複数の凸部または／及び複数の凹部を形成しており、該一方の面が前記空気の流路に面することを特徴とする。【選択図】図２
2014018255.tif 000002
【特許請求の範囲】
【請求項１】
電動送風機と、該電動送風機が収納される掃除機本体と、を有する電気掃除機において、
前記掃除機本体における前記電動送風機から排出される空気の流路の少なくとも一部に吸音部材が設けられ、
該吸音部材は、少なくとも一方の面に複数の凸部または／及び複数の凹部を形成しており、該一方の面が前記空気の流路に面することを特徴とする電気掃除機。
【請求項２】
電動送風機と、該電動送風機を収容可能な掃除機本体と、を有する電気掃除機において、
前記掃除機本体における前記電動送風機から排出される空気の流路の少なくとも一部に複数の凸部または／及び複数の凹部を形成しており、
該複数の凸部または／及び複数の凹部が前記空気の流路に面することを特徴とする電気掃除機。
【請求項３】
請求項１に記載の電機掃除機において、
前記吸音部材は、発泡ポリウレタンフォームであり、
前記複数の凸部または／及び複数の凹部は、プロファイル加工によるものであることを特徴とする電気掃除機。
【請求項４】
請求項３に記載の電機掃除機において、
前記吸音部材は独立気泡であることを特徴とする電気掃除機。
【請求項５】
請求項１乃至４の何れか１項に記載の電機掃除機において、
前記電動送風機から排出される空気は、前記電動送風機の下を通り前記電気掃除機の後方より排出され、
前記複数の凸部または／及び複数の凹部は、前記電動送風機の下に設けられたことを特徴とする電気掃除機。
【発明の詳細な説明】
【技術分野】
【０００１】
本発明は、電動送風機を備える電気掃除機に関する。
【背景技術】
【０００２】
近年の電気掃除機は、ライフスタイルの変化により低騒音のものが望まれている。具体的には集合住宅における使用や、日中に仕事をして夜間に家事を行う場合などに低騒音の電気掃除機が望まれている。低騒音を図った構造を有した電気掃除機として、例えば、排気口へ通じる排気通路内に角部を設け、その角部の気流衝突面に空気層を形成するように吸音材を配置したものがある（特許文献１）。
【先行技術文献】
【特許文献】
【０００３】
【特許文献１】特開２００９-１００８４０号公報
【発明の概要】
【発明が解決しようとする課題】
【０００４】
ここで、近年の電気掃除機は、低騒音とともに吸込仕事率の向上が望まれている。吸込仕事率の向上には、電動送風機の排気抵抗を低く抑える必要がある。
【０００５】
しかし、特許文献１に記載の技術は、電動送風機から排出される気流に対し衝突するような面を形成するように吸音材を配したことにより、吸音材に衝突した気流は電動送風機方向に反射され、さらに電動送風機から排出される気流と衝突してしまう恐れがある。これにより、電動送風機の排気抵抗が大きくなり、電気掃除機の吸込仕事率が低減してしまう恐れがある。
【０００６】
本発明は、吸込仕事率の向上と、低騒音と、を達成する電気掃除機の提供を目的とする。
【課題を解決するための手段】
【０００７】
本発明は、電動送風機と、該電動送風機が収納される掃除機本体と、を有する電気掃除機において、前記掃除機本体における前記電動送風機から排出される空気の流路の少なくとも一部に吸音部材が設けられ、該吸音部材は、少なくとも一方の面に複数の凸部または／及び複数の凹部を形成しており、該一方の面が前記空気の流路に面することを特徴とする。
また、本発明は、電動送風機と、該電動送風機を収容可能な掃除機本体と、を有する電気掃除機において、前記掃除機本体における前記電動送風機から排出される空気の流路の少なくとも一部に複数の凸部または／及び複数の凹部を形成しており、該複数の凸部または／及び複数の凹部が前記空気の流路に面することを特徴とする。
【発明の効果】
【０００８】
本発明は、吸込仕事率の向上と、低騒音と、を達成する電気掃除機を提供することができる。
【図面の簡単な説明】
【０００９】
【図１】本発明の実施形態に係る電気掃除機の外観斜視図である。
【図２】図１に示す電気掃除機の掃除機本体の縦断面図である。
【図３】図１に示す電気掃除機の電動送風機の縦断面図である。
【図４】本発明の実施形態に係る凹凸部を有する吸音材の外観斜視図である。
【図５】図２に示す縦断面図において、凹凸部を有する吸音材部を拡大し空気の流れを示した図である。
【発明を実施するための形態】
【００１０】
以下に、本発明の実施形態について適宜図面を参照しながら詳細に説明する。
【００１１】
なお、以下の説明における前後の方向は、図１に示す掃除機本体１０１の前後の方向を基準とする。
【００１２】
図１に示すように、本実施形態に係る電気掃除機１０は、後記する電動送風機２０（図２参照）を内側に収納する掃除機本体１０１を備えると共に、この掃除機本体１０１の前側には、ホース１０２と、手元操作部１０３と、延長管１０４と、吸口体１０５とがこの順番に接続されて構成されている。
【００１３】
なお、図１中、符号１０６は、手元操作部１０３に設けられ、電動送風機２０（図２参照）をオンオフするスイッチ操作部である。
【００１４】
掃除機本体に１０１には、移動のための車輪１０７が取り付けられている(図５、６、９には図示せず)。
【００１５】
掃除機本体１０１は、図２に示すように、本体内の前側に集塵室２０１が区画されると共に、後側に電動送風機室２０２が区画されている。この集塵室２０１と電動送風機室２０２とは、フィルタ部２０３を介して連通している。
【００１６】
集塵室２０１には、紙パック２０４(図示せず)が収納されている。この紙パック２０４の開口は、ホース１０２（図１参照）が接続されるホース継ぎ手２０５側に位置するように配置されている。
【００１７】
なお、本実施形態の電気掃除機１０では、紙パック２０４を使用する方式について説明しているが、本発明はサイクロン方式のものであってもよい。ちなみに、サイクロン方式の電気掃除機は、集塵室２０１に対応する部分にサイクロン室が形成されることとなる。
【００１８】
電動送風機室２０２には、電動送風機２０が収納されている。この電動送風機２０は、その前側に形成された図３に示す吸入口３０５がフィルタ部２０３側（掃除機本体１０１の前側）に向くように配置されて、防振ゴム２０６を介して電動送風機室２０２内に取り付けられている。
【００１９】
電動送風機２０は、図３に示すように、送風機構３０１がファンハウジング３０２内に収納され、モータ３０３がモータハウジング３０４内に収納されて構成されている。送風機構３０１の中央に吸入口３０５が形成され、モータハウジング３０４の側面にモータ排気口３０７が設けられている。本実施例における電動送風機２０から排出される空気の流路とは、モータ排気口３０７から掃除機本体１０１の排出口２０７に至るまでの通路のことを指す。
【００２０】
次に、吸音部材４０について説明する。吸音部材４０の排気流路側の表面には、図４に示すように複数の凸部４０ａと凹部４０ｂとが設けられている。以下、凸部４０ａと凹部４０ｂとを合わせて凹凸部と呼ぶ。凹凸部の深さや間隔について、本実施例では凸部の頂点から凹部の底までの深さを１０ｍｍ、凸部頂点と隣の凸部頂点の間隔を１６ｍｍとしているが、流路の広さや吸音材の厚み、および満たすべき性能に応じて任意に定めてよい。深さを浅く、間隔を広く取ることで吸音材の厚みは厚く維持されるので騒音低減効果が大きくなるが、吸音部材４０の表面形状は平面に近くなるため損失低減の効果は小さくなる。なお、凸部や凹部のみを吸音部材４０の一方の面に設けても同様の騒音低減効果を奏する。凸部や凹部の形状や数などにより騒音低減の効果の大小は変化する。
【００２１】
以上のような吸音部材４０は、本実施形態ではポリエステル系のウレタンフォームが使用されており、凹凸部はプロファイル加工により形成されている。プロファイル加工を用いることで既存の吸音材料を容易に凹凸形状に加工することが可能であり、汎用性が高い。
吸音部材４０は、発泡ポリウレタンフォームであり、前記複数の凸部または／及び複数の凹部は、プロファイル加工によるものとすることにより、量産性が向上する。また、吸音部材は独立気泡であることにより通気性が減ることによる騒音低減効果の向上という効果を奏する。また、電動送風機から排出される空気は、電動送風機の下を通り電気掃除機の後方より排出され、凸部や凹部が、前記電動送風機の下に設けられたことにより使用者から離れた位置に流路を取ることで更に騒音低減の効果を奏する。
吸音部材には掃除機本体の騒音の周波数特性に応じ、その他の材料を用いてもよい。また、凹凸部についてはプロファイル加工に限らず、別の加工方法にて形成してもよい。
【００２２】
吸音部材４０は、図５に示すように電動送風機２０の下側に配置されており、電動送風機２０から出てくる排気を凹凸部のある面で受けるような位置関係となる。ここで吸音部材４０を配置する位置は電動送風機４０の排気の進行方向であれば電動送風機２０の上側や側面側でもよいし、掃除機本体構成部品により進行方向を曲げられた排気の流路方向に配置してもよい。吸音部材４０を電動送風機から排出される空気の流路に設け、凹凸部が設けられている一方の面を空気の流路の内方に面するようにしたことにより、流路を通過する空気が吸音部材４０の凹凸部が設けられている面の表面を沿うように流れ、空気が電動送風機方向へ反射することがなくなる。これにより、排気抵抗が低く抑えられるので、電気掃除機１０の吸込仕事率を向上させることができる。  次に、本実施形態に係る電気掃除機１０の動作について説明しながら作用効果について説明する。
【００２３】
この電気掃除機１０は、図３に示す電動送風機２０のモータ３０３よって回転した遠心ファン３０１は、吸入口３０５から吸い込んだ空気を昇圧して吸込気流を発生させる。そして、吸込気流は、ディフューザ３０６を介して、モータハウジング３０４内の風路を通過しモータ排気口３０７から電動送風機２０の外へ排気される。
【００２４】
その一方で、電気掃除機１０は、電動送風機２０が空気を吸入口３０５から吸い込むことによって、塵埃を同伴する空気を、前記した吸口体１０５（図１参照）等を介してホース継ぎ手２０５側から集塵室２０１内に吸引する。吸引された塵埃を同伴する空気は、紙パック２０４内に導入される。そして、紙パック２０４でろ過された空気は、フィルタ部２０３を介して電動送風機２０の吸入口３０５から吸い込まれることとなる。この際、集塵室２０１内に吸引された空気に同伴する塵埃の大部分は、紙パック２０４で取り除かれると共に、フィルタ部２０３を空気が通過することによって細かな塵埃も取り除かれる。
【００２５】
電動送風機２０が吸入口３０５から吸い込んだ空気は、電動送風機２０の外へ排出された後、吸音部材４０に衝突しその騒音を吸収される。ここで、表面が平面の場合は衝突した空気が流れてきた方向に反射され、空気流同士がぶつかることで排気抵抗が大きくなる恐れが生じる。しかし、本実施例で示すように吸音材４０の表面に凹凸部を設けることにより、吸音部材４０に衝突した空気は吸音部材の表面を沿うように流れ、電動送風機方向に反射されて空気流同士がぶつかることがなくなる。その結果、電動送風機２０の排気抵抗が低く抑えられるので、電気掃除機１０の吸込仕事率を向上させることができる。これは、電動送風機から排出される空気の流路の少なくとも一部に吸音部材が設けられ、吸音部材は、少なくとも一方の面に凸部または／及び凹部を形成しており、一方の面が空気の流路に面することにより、吸音部材４０の凸部または／及び凹部が形成されている場合でも、同様の効果を奏することができる。
【００２６】
また、騒音と吸込仕事率のバランスにおいて吸込仕事率を重視する場合、吸音材４０を削除し流路を拡大することで排気の流速を下げて更なる損失低減を図ることができる。その場合、電動送風機２０から排出される排気の進行方向に面した本体ケースの壁面に、複数の凹凸部を形成することにより本体ケースの壁面に衝突した空気は壁面を沿うように流れ、電動送風機方向に反射されて空気流同士がぶつかることがなくなる。その結果、更に電動送風機２０の排気抵抗が低く抑えられるので、電気掃除機１０の吸込仕事率を向上させることができる。
【符号の説明】
【００２７】
１０    電気掃除機
１０７  車輪
２０    電動送風機
３０１  送風機構
３０２  ファンハウジング
３０３  モータ
３０４  モータハウジング
３０５  吸入口
３０６  ディフューザ
３０７  モータ排気口
４０    吸音部材
４０ａ  凸部
４０ｂ  凹部
【図１】
2014018255.tif 000003
【図２】
2014018255.tif 000004
【図３】
2014018255.tif 000005
【図４】
2014018255.tif 000006
【図５】
2014018255.tif 000007